(57)【要約】【課題】従来のカムコーダでは動画と静止画とを一つのＣＣＤを用いて同時記録していた。しかし静止画像の画素数を上げるために画素数の多いＣＣＤを使用すると動画のＳ／Ｎ比が低下するので、解像度の高い静止画とＳ／Ｎ比の優れた動画とを同時記録することが困難であった。【解決手段】入射光をプリズム１０１で分岐させて動画撮影用ＣＣＤ１０２（例えば３５万画素）と静止画撮影用ＣＣＤ１１０（例えば４００万画素）に受光させる。動画像はＭＰＥＧ圧縮されて記録され、静止画はＪＰＥＧ圧縮されてメモリカード１３０に同時に記録される。【選択図】　図１
2004072148.tif 000002
【特許請求の範囲】
【請求項１】
撮像レンズと、
前記撮像レンズから入射された光線を分配する分配部と、
前記分配部で分配された光線を受光し、動画信号として出力する少なくとも１つの受光素子と、
前記分配部で分配された光線を受光し、静止画信号として出力する少なくとも１つの受光素子と、
前記動画信号を記録する動画信号記録部と、
前記静止画信号を記録する静止画信号記録部とを備えたことを特徴とするＡＶデータ記録装置。
【請求項２】
静止画信号を出力する受光素子は、動画信号を出力する受光素子よりも多画素の受光素子であることを特徴とする請求項１記載のＡＶデータ記録装置。
【請求項３】
動画信号記録部または静止画信号記録部は、動画信号と静止画信号とを関連付ける関連情報をさらに記録することを特徴とする請求項１または２いずれかに記載のＡＶデータ記録装置。
【請求項４】
受光素子それぞれに絞りを備え、前記絞りの絞り値がそれぞれ独立に設定されることを特徴とする請求項１〜３いずれかに記載のＡＶデータ記録装置。
【請求項５】
入射された光線を少なくとも２つの受光素子に分配する工程と、
前記受光素子のうち少なくとも一つの受光素子から出力された動画信号を記録する工程と、
前記受光素子のうち少なくとも一つの受光素子から出力された静止画信号を記録する工程とを有するＡＶデータ記録方法。
【請求項６】
動画信号と静止画信号とを関連付ける関連情報を記録する工程をさらに有することを特徴とする請求項５記載のＡＶデータ記録方法。
【発明の詳細な説明】
【０００１】
【発明の属する技術分野】
本発明は、メモリカード、光ディスク等の記録媒体を使って動画像および静止画像を記録、再生するＡＶデータ記録装置及び方法に関する。
【０００２】
【従来の技術】
最近のカムコーダの中には、動画像を記録すると同時に静止画を記録するために、動画像をテープに記録すると同時に静止画をメモリカードに記録するという機能を備えたものがある。
【０００３】
図３に従来のＡＶデータ記録再生装置（例えばカムコーダ）の構成を示す。ユーザは動画撮影または静止画撮影を選択し、どちらか一方の撮影を実施する。動画撮影時は、レンズ３００から入射した光線は絞り３５０を経てＣＣＤ３０２に到達する。ＣＣＤ３０２からはインターレース映像信号が出力され、Ａ／Ｄ変換部３０３によりＡ／Ｄ変換され、動画用信号処理部３０４を経てＭＰＥＧ２圧縮部３０５に入る。一方、音声入力部３２０から入力された音声信号は音声用Ａ／Ｄ変換部３２１を経てＭＰＥＧ２圧縮部３０５に入る。ＭＰＥＧ２圧縮部３０５では映像信号と音声信号とがＭＰＥＧ２圧縮され、メモリカード３３０へ記録される。
【０００４】
一方、静止画撮影時はＣＣＤ３０２からプログレッシブ映像信号が出力され、Ａ／Ｄ変換部３０３によりＡ／Ｄ変換され、静止画用信号処理部３１２を経てＪＰＥＧ圧縮部３１２に入る。そしてＪＰＥＧ圧縮部３１２でＪＰＥＧ圧縮されてメモリカード３３０へ記録される。
【０００５】
再生時は、メモリカード３３０から読み出されたＭＰＥＧ２データはＭＰＥＧ２伸張部３４０で復号され、映像データはＤ／Ａ変換部３４２を介してＬＣＤ３４３で表示され、音声データは音声用Ｄ／Ａ変換部３４５を介してスピーカ３４６で再生される。一方、メモリカード３３０から読み出されたＪＰＥＧデータはＪＰＥＧ伸張部３４１を介して復号され、Ｄ／Ａ変換部３４２を介してＬＣＤ３４３に表示される。Ｄ／Ａ変換部３４２および音声用Ｄ／Ａ変換部３４５の出力は、ＴＶ３４４で再生もできる。
【０００６】
【発明が解決しようとする課題】
しかしながら従来のカムコーダは、動画像の記録と静止画像の記録とに共通のＣＣＤを採用していたために、動画を記録しつつ高解像度の静止画を同時に記録することが困難だった。
【０００７】
たとえば６０万画素で６０フレーム／秒出力可能なＣＣＤを使用して、６０万画素で撮影した映像フレームを３５万画素程度（７２０×４８０程度）に縮小ズーム（１枚の映像全体を縮小）する様な動画記録時に、途中の動画中の１フレームを別途静止画として切出し、動画とは別の静止画データとして記録したとしても、静止画の画素数は高々６０万画素となる。
【０００８】
また、動画撮影と静止画撮影を兼用できるＣＣＤを使用したカムコーダの場合、動画を撮影しない場合には、１５０万画素の静止画が記録できるものも出ている。ところがデジタルスチルカメラの様な静止画専用のＣＣＤは６００万画素の静止画が記録できるものも商品化されているので、カムコーダの静止画撮影機能はデジカメに較べて見劣りするものとなっていた。
【０００９】
また、動画と静止画の兼用するＣＣＤを使用したカムコーダの場合、静止画像の画素数を上げるために画素数の多いＣＣＤを使用することにより動画撮影時ののＳ／Ｎ比（シグナル／ノイズ）は低下する傾向にあった。これは動画記録と静止画記録を兼用するＣＣＤの場合、単位画素辺りの受光面積が動画専用のＣＣＤと較べて少ないことに起因する。
【００１０】
本発明は上記問題点を解消するために、動画像と静止画像とを同時に記録可能とし、さらにＳ／Ｎ比が優れた動画像の記録と高解像度の静止画像の記録を両立することを目的とする。
【００１１】
【課題を解決するための手段】
上記目的を達成するために、本発明のＡＶデータ記録装置は、撮像レンズと、前記撮像レンズから入射された光線を分配する分配部と、前記分配部で分配された光線を受光し、動画信号として出力する少なくとも１つの受光素子と、前記分配部で分配された光線を受光し、静止画信号として出力する少なくとも１つの受光素子と、前記動画信号を記録する動画信号記録部と、前記静止画信号を記録する静止画信号記録部とを備える。これにより撮像レンズから入射された光線が分配部で分配され、動画信号および静止画信号がそれぞれ独立した受光素子で処理されて記録されるので、動画像と静止画像とを同時に記録することができる。
【００１２】
また本発明のＡＶデータ記録装置は、静止画信号を出力する受光素子は、動画信号を出力する受光素子よりも多画素の受光素子である。これにより、Ｓ／Ｎ比が優れた動画像の記録と高解像度の静止画像の記録を両立することができる。
【００１３】
また本発明のＡＶデータ記録装置は、動画信号記録部または静止画信号記録部は、動画信号と静止画信号とを関連付ける関連情報をさらに記録する。これにより動画と静止画とを関連付けて記録することができる。
【００１４】
また本発明のＡＶデータ記録装置は、受光素子それぞれに絞りを備え、前記絞りの絞り値がそれぞれ独立に設定される。これにより動画を処理する受光素子と静止画を処理する受光素子とで絞りを独立に設定できるので、それぞれの受光素子の特性に合わせた絞り値の設定ができる。
【００１５】
また本発明のＡＶデータ記録方法は、入射された光線を少なくとも２つの受光素子に分配する工程と、前記受光素子のうち少なくとも一つの受光素子から出力された動画信号を記録する工程と、前記受光素子のうち少なくとも一つの受光素子から出力された静止画信号を記録する工程とを有する。これにより入射された光線が分配され、動画信号および静止画信号がそれぞれ独立した受光素子で処理されて記録されるので、動画像と静止画像とを同時に記録することができる。
【００１６】
また本発明のＡＶデータ記録方法は、動画信号と静止画信号とを関連付ける関連情報を記録する工程をさらに有する。これにより動画と静止画とを関連付けて記録することができる。
【００１７】
【発明の実施の形態】
（実施の形態１）
以下、本発明の実施の形態１について図面を参照しながら説明する。図１は、本発明の実施の形態１におけるＡＶデータ記録装置（例えばカムコーダ）のブロック構成図である。図１において１００は撮像レンズ、１０１は撮像レンズ１００で受光した光線を分配するプリズム、１０２は動画用ＣＣＤ、１０３は動画用ＣＣＤの出力をＡ／Ｄ変換する動画用Ａ／Ｄ変換部、１０４は動画用信号処理部、１０５はＭＰＥＧ２圧縮部、１１０は静止画用ＣＣＤ、１１１は静止画用ＣＣＤの出力をＡ／Ｄ変換する静止画用Ａ／Ｄ変換部、１１２は静止画用信号処理部、１１３はＪＰＥＧ圧縮部、１２０は音声信号が入力される音声入力部、１２１は音声信号をＡ／Ｄ変換する音声用Ａ／Ｄ変換部、１３０は動画および静止画を記録するメモリカード、１４０はメモリカードから読み出したＭＰＥＧ２動画を伸張するＭＰＥＧ２伸張部、１４１はメモリカードから読み出したＪＰＥＧ静止画を伸張するＪＰＥＧ伸張部、１４２は映像信号をＤ／Ａ変換するＤ／Ａ変換部、１４３はＬＣＤ、１４４はＴＶ、１４５は音声信号をＤ／Ａ変換する音声用Ｄ／Ａ変換部、１４６はスピーカ、１５０は絞りである。
【００１８】
ここで静止画用ＣＣＤ１１０は、高解像度の静止画を得るため動画用ＣＣＤ１０２よりも多画素のものを用いることが望ましい。そこで静止画用ＣＣＤ１１０には４００万画素のＣＣＤを使用し、動画用ＣＣＤ１０２には３５万画素のＣＣＤを使用するものとする。また動画用ＣＣＤ１０２は補色フィルタ、静止画用ＣＣＤ１１０は原色フィルタを使用するものとする。また動画用ＣＣＤ１０２は６０フィールドの映像信号を出力し、静止画用ＣＣＤ１１０は少なくとも４００万画素の静止画信号を所定の周期（例えば１秒間に４枚）で出力可能であるものとする。
【００１９】
図２はＡＶデータ記録装置の動作を説明するフローチャートである。以下図１および図２を参照しつつＡＶデータ記録装置の動作について説明する。
【００２０】
ユーザは動画撮影中に、任意のタイミングで静止画の記録指示を行うものとする。まず動画撮影動作について説明する。静止画記録の指示がなく動画記録の指示があった場合に動画撮影動作が開始する（Ｓ１、Ｓ２）。動画撮影が開始されると、レンズ１００から入射した光線は絞り１５０およびプリズム１０１を経て動画用ＣＣＤ１０２に到達する。動画用ＣＣＤ１０２からはインターレース映像信号が出力され、動画用Ａ／Ｄ変換部１０３によりＡ／Ｄ変換される（Ｓ３）。また音声入力部１２０から入力された音声信号は音声用Ａ／Ｄ変換部１２１によりＡ／Ｄ変換される（Ｓ４）。そしてＡ／Ｄ変換された映像信号は動画用信号処理部１０４を経てＭＰＥＧ２圧縮部１０５に入力され、Ａ／Ｄ変換された音声信号もＭＰＥＧ２圧縮部１０５に入力される。ＭＰＥＧ２圧縮部では映像信号と音声信号とがＭＰＥＧ２圧縮され（Ｓ５）、メモリカード１３０へ記録される（Ｓ６）。そしてユーザから撮影動作中止の指示があった場合には処理が終了し、撮影動作中止の指示がない場合には処理が継続する（Ｓ７）。
【００２１】
次に静止画撮影動作について説明する。静止画撮影が指示された場合（Ｓ１）、レンズ１００から入射した光線は絞り１５０およびプリズム１０１を経て静止画用ＣＣＤ１１０に到達する。静止画用ＣＣＤ１１０からはプログレッシブ映像信号が出力され、静止画用Ａ／Ｄ１１１によりでＡ／Ｄ変換される（Ｓ８）。そして静止画用信号処理部１１２を経てＪＰＥＧ圧縮部１１３に入力され、ＪＰＥＧ圧縮されて（Ｓ９）、メモリカード１３０へ記録される（Ｓ１０）。
【００２２】
再生時は、メモリカード１３０から読み出されたＭＰＥＧ２データはＭＰＥＧ２伸張部１４０で復号され、映像信号はＤ／Ａ変換部１４２を介してＬＣＤ１４３で表示され、音声信号は音声用Ｄ／Ａ変換部１４５を介してスピーカ１４６で再生される。
【００２３】
一方、メモリカード１３０から読み出されたＪＰＥＧデータはＪＰＥＧ伸張部１４１を介して復号され、Ｄ／Ａ変換部１４２を介してＬＣＤ１４３に表示される。Ｄ／Ａ変換部１４２および音声用Ｄ／Ａ変換部１４５の出力をＴＶ１４５で再生もできる。
【００２４】
ここでＭＰＥＧ２圧縮された動画データとＪＰＥＧ圧縮された静止画データとはそれぞれ独立したデータとして記録されるとして説明を行ったが、ＪＰＥＧ圧縮された静止画データが、ＭＰＥＧ２圧縮された動画データのどのフレームに相当するかを示す関連情報を同時に記録してもよい。この関連情報は、記録された動画データの先頭からの経過時間、動画フレームのプレゼンテーション・タイムスタンプ、もしくは先頭からのフレーム番号として表現される。そしてこの関連情報は、静止画データとリンクして記録してもよいし、動画データとリンクして記録してもよく、また独立したデータとして記録されてもよい。これにより記録された動画データと静止画データとの関連付けを行うことができる。また、静止画データが動画データ中のどのフィールドに対応するかを示す関連情報を記録しても良い。
【００２５】
以上の様な構成により、動画像の記録と静止画像の記録を同時に記録可能になる。同時に、静止画の解像度（すなわち、静止画を構成する画素数）を容易に向上させることができる。さらに、動画用ＣＣＤの画素数は静止画とは無関係に決めることができるのでＳ／Ｎ比が優れた動画像を出力するＣＣＤを選択することができる。
【００２６】
なお、本実施の形態１において動画用ＣＣＤ１０２および静止画用ＣＣＤ１１０は、それぞれ、補色フィルタ、原色フィルタであるものとしたが、それぞれ原色フィルタ、補色フィルタが使用されていても良い。また、どちらも原色フィルタであっても良いし、どちらも補色フィルタであった良い。
【００２７】
なお、本実施の形態１では動画用ＣＣＤ１０２は６０フィールドの映像信号を出力するものとしたが、６０フレームの映像信号を出力しても良い。だたし、この場合、記録に関する部分のスループットを３０フレームから６０フレームに上げる必要があることは言うまでも無い。
【００２８】
なお、本実施の形態１では、２個しかＣＣＤを使用しなかったが、第３のＣＣＤ（動画用ＣＣＤ）を使用し、その映像出力をＣＩＦサイズに変換した後でＭＰＥＧ４圧縮し、ＭＰＥＧ２データと同時に記録してもよい。ここでＭＰＥＧ２データおよびＭＰＥＧ４データを記録しながら、高解像の静止画記録が可能になることは言うまでも無い。
【００２９】
なお、本実施の形態１では、２個しかＣＣＤを使用しなかったが、第３のＣＣＤ（動画用ＣＣＤ）を使用し、２つの動画用ＣＣＤが毎秒３０フレームの映像を出力し、合計毎秒６０フレームの映像をＭＰＥＧ２圧縮してメモリカードへ記録しても良い。
（実施の形態２）
以下、本発明の実施の形態２について図面を参照しながら説明する。図３は実施の形態２におけるＡＶデータ記録装置のブロック構成図であり、図１と同じ符号を有するものは同じ機能を有するので詳細な説明は省略する。
【００３０】
実施の形態１との違いは、動画用ＣＣＤと静止画用ＣＣＤに対してそれぞれ専用の絞り２５０、２５１が存在する点である。これにより、動画の絞り値と静止画の絞り値を独立して設定できる。このことは静止画の表現の幅を広げることになる。たとえば、動画よりもより絞りを開いて高速シャッターを利用すれば、動画により撮影される映像よりも被写体のぶれを少なくすることができる。
【００３１】
これにより、滑らかな動画データと、ぶれの少ないシャープな静止画データを同時に得ることが可能になる。
【００３２】
なお、本実施の形態において、記憶媒体はメモリカードであるものとしたが、特にこれに限定するものではなく、例えばＭＯ、ＤＶＤ─ＲＡＭ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であっても良い。
【００３３】
なお、本実施の形態において、動画データはＭＰＥＧ２データであるものとしたが、ＤＶデータ、モーションＪＰＥＧ２０００データ等であっても良いことは言うまでも無い。ただしこの場合、ＭＰＥＧ圧縮部はＤＶ圧縮部に差し換える必要があるなどのことも言うまでも無い。
【００３４】
なお、本実施の形態において、静止画データはＪＰＥＧデータであるものとしたが、ＤＣＦデータ、　Ｅｘｉｆデータ等であっても良いことは言うまでも無い。
【００３５】
なお、本実施の形態では、記憶媒体はメモリカードであるものとしたが、特にこれに限定するものではなく、例えばＭＯ、ＤＶＤ─ＲＡＭ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であっても良い。
【００３６】
なお、本実施の形態では、動画撮影中に静止画を記録するものとしたが、単独で静止画を記録してもよいことは言うまでも無い。この場合であっても、カムコーダでありながらデジカメと同様の解像度を得ることができる。
【００３７】
【発明の効果】
以上のように本発明にかかるＡＶデータ記録装置によれば、Ｓ／Ｎ比が優れた動画像の記録と、高解像度の静止画像とを同時に記録することができる。
【図面の簡単な説明】
【図１】実施の形態１におけるＡＶデータ記録装置の構成図
【図２】実施の形態１におけるＡＶデータ記録方法のフローチャート
【図３】実施の形態２におけるＡＶデータ記録装置の構成図
【図４】従来のＡＶデータ記録再生装置の構成図
【符号の説明】
１０１　レンズ
１０１　プリズム
１０２　動画用ＣＣＤ
１０３　動画用Ａ／Ｄ変換部
１０４　動画用信号処理部
１０５　ＭＰＥＧ２圧縮部
１１０　静止画用ＣＣＤ
１１１　静止画用Ａ／Ｄ変換部
１１２　静止画用信号処理部
１１３　ＪＰＥＧ圧縮部
１２０　音声入力部
１２１　音声用Ａ／Ｄ変換部
１３０　メモリカード
１４０　ＭＰＥＧ２伸張部
１４１　ＪＰＥＧ伸張部
１４２　Ｄ／Ａ変換部
１４３　ＬＣＤ
１４４　ＴＶ
１４５　音声用Ｄ／Ａ変換部
１４６　スピーカ
１５０　絞り
１６０　記録再生装置
【図１】
2004072148.tif 000003
【図２】
2004072148.tif 000004
【図３】
2004072148.tif 000005
【図４】
2004072148.tif 000006